(57)【要約】【課題】個人のプライバシーを守りつつ、車載機にて取得したＳＮＳ情報を車内ディスプレイに表示することができる「情報表示制御装置および情報表示制御方」を提供する。【解決手段】複数の携帯端末２０１〜２０３に提供される複数の情報群であって、１つの携帯端末に提供される情報群が１つ以上の投稿情報から成る複数の情報群を取得する情報取得部１２と、当該取得した複数の情報群の中から、当該複数の情報群に共通の事項により特定される投稿情報を共通情報として抽出する共通情報抽出部１３と、抽出した投稿情報を共用ディスプレイ１０１に表示させる表示制御部１４とを備え、特定のユーザだけが持つ個人的な投稿情報は共用ディスプレイ１０１には表示されず、各携帯端末２０１〜２０３に対して提供される情報群のうち共通の事項により特定される投稿情報のみが抽出されて表示されるようにする。【選択図】図２
2015152884.tif 000002
【特許請求の範囲】
【請求項１】
複数の携帯端末に提供される情報を取得して共用のディスプレイに表示させる情報表示制御装置であって、
上記複数の携帯端末に提供される複数の情報群であって、１つの携帯端末に提供される１つの情報群が１つ以上の投稿情報を含んで成る上記複数の情報群を取得する情報取得部と、
上記情報取得部により取得された上記複数の情報群の中から、当該複数の情報群に共通の事項により特定される投稿情報を共通情報として抽出する共通情報抽出部と、
上記共通情報抽出部により抽出された共通情報を上記共用のディスプレイに表示させる表示制御部とを備えたことを特徴とする情報表示制御装置。
【請求項２】
上記情報取得部は、上記複数の携帯端末から、それぞれの情報群をサーバから取得するのに必要なアカウント情報を取得するアカウント情報取得部と、
上記アカウント情報取得部により取得された各携帯端末のアカウント情報を用いて上記サーバにアクセスし、上記各携帯端末のアカウント情報に対応する情報群をそれぞれ取得する情報群取得部とを備えたことを特徴とする請求項１に記載の情報表示制御装置。
【請求項３】
上記携帯端末との接続を検出する接続検出部と、
上記接続検出部により接続が検出された携帯端末の中に、上記情報群の提供を受けるためのアプリケーションがインストールされていないものがあるか否かを判定するアプリ判定部とを更に備え、
上記表示制御部は、上記アプリ判定部により上記アプリケーションがインストールされていないものがあると判定された場合、上記共通情報の表示を行わないように制御することを特徴とする請求項１に記載の情報表示制御装置。
【請求項４】
上記表示制御部は、上記アプリ判定部により上記アプリケーションがインストールされていないものがあると判定された場合で、かつ、上記共通情報の表示を行う旨の指示が上記携帯端末のユーザから行われていない場合に、上記共通情報の表示を行わないように制御することを特徴とする請求項３に記載の情報表示制御装置。
【請求項５】
上記情報表示制御装置は車両に搭載された車載機に内蔵され、
上記携帯端末との接続を検出する接続検出部と、
上記車両への搭乗者の人数を検出する搭乗者数検出部と、
上記接続検出部により接続が検出された携帯端末の数と、上記搭乗者数検出部により検出された搭乗者の人数とが一致するか否かを判定する一致判定部とを更に備え、
上記表示制御部は、上記一致判定部により数が一致しないと判定された場合、上記共通情報の表示を行わないように制御することを特徴とする請求項１に記載の情報表示制御装置。
【請求項６】
上記表示制御部は、上記一致判定部により数が一致しないと判定された場合で、かつ、上記共通情報の表示を行う旨の指示が上記携帯端末のユーザから行われていない場合に、上記共通情報の表示を行わないように制御することを特徴とする請求項５に記載の情報表示制御装置。
【請求項７】
複数の携帯端末に提供される情報を取得して共用のディスプレイに表示させる情報表示制御方法であって、
情報表示制御装置の情報取得部が、上記複数の携帯端末に提供される複数の情報群であって、１つの携帯端末に提供される１つの情報群が１つ以上の投稿情報を含んで成る上記複数の情報群を取得する第１のステップと、
上記情報表示制御装置の共通情報抽出部が、上記情報取得部により取得された上記複数の情報群の中から、当該複数の情報群に共通の事項により特定される投稿情報を共通情報として抽出する第２のステップと、
上記情報表示制御装置の表示制御部が、上記共通情報抽出部により抽出された共通情報を上記共用のディスプレイに表示させる第３のステップとを有することを特徴とする情報表示制御方法。
【発明の詳細な説明】
【技術分野】
【０００１】
本発明は、情報表示制御装置および情報表示制御方法に関し、特に、複数の携帯端末に提供される情報を取得して共用のディスプレイに表示させる情報表示制御装置に用いて好適なものである。
【背景技術】
【０００２】
近年、インターネット等のネットワークを通じて人と人とのつながりを促進・サポートする、いわゆるソーシャルネットワークサービス（ＳＮＳ）が広く提供されている。ＳＮＳは、ユーザのプロフィールを紹介するプロフィール機能、所望のユーザを検索するユーザ検索機能、コメントやトラックバックなどのコミュニケーション機能、個人的な体験・日記・特定のトピック等を綴るブログ機能などを備えていることが多い。以下、これらの各種機能を通じて得られる情報をＳＮＳ情報と称する。
【０００３】
また、近年では、車載機とスマートフォンとを連携させる技術の開発が盛んに行われている。例えば、ＵＳＢ（Universal Serial Bus）等の有線あるいはブルートゥース等の無線によってスマートフォンと連携し、スマートフォンにインストールされたアプリケーションの機能を利用可能になされた車載機が提供されている。この種の車載機では、スマートフォンにインストールされたＳＮＳ用のアプリケーション（以下、ＳＮＳアプリという）からＳＮＳ情報を取得し、車内ディスプレイに表示することが可能である。
【０００４】
しかしながら、車内ディスプレイへの表示を通じて個人のＳＮＳ情報を同乗者に公開することになるので、個々のユーザのプライバシーを守ることが困難という問題があった。なお、これと同様の問題がハンズフリー通話を行う場合にも存在する。ハンズフリー通話の場合は、個人的な会話が車内の同乗者にも聞かれてしまうという問題であるが、この問題に対して、搭乗者間で共有可能でない相手からの着信の場合にはハンズフリー通話を抑止するようにした技術が提案されている（例えば、特許文献１参照）。
【０００５】
すなわち、特許文献１に記載の技術では、携帯電話に着信があったときに、その携帯電話から発信元の電話番号を示す電話番号情報を取得する。そして、取得した電話番号情報が示す発信元の電話番号が、複数の携帯電話のそれぞれの電話帳が備える電話帳情報によって共通して登録されている共通電話番号でない場合、ハンズフリー通話を抑止するようにしている。
【０００６】
また、複数の無線端末間でそれぞれに記憶されている知り合いの名前の中に同じ名前が存在するか否かを判定し、同じ名前が存在する場合に、以後の通信をリクエストするようにした技術も知られている（特許文献２参照）。さらに、発着信履歴や電子メールの送受信履歴に基づいて自装置で生成した発着一覧と、他の携帯端末装置で生成された発着一覧とを比較して、双方の発着一覧に共通して含まれる個人情報を表示するようにした技術も知られている（特許文献３参照）。
【先行技術文献】
【特許文献】
【０００７】
【特許文献１】特開２０１３−１５７９１６号公報
【特許文献２】特開２００７−１１０６１６号公報
【特許文献３】特開２０１２−００９９３３号公報
【発明の概要】
【発明が解決しようとする課題】
【０００８】
上記特許文献１および特許文献３に記載の技術は何れもＳＮＳに関するものではない。一方、特許文献２に記載の技術はＳＮＳに関するものである。しかし、これは、複数の無線端末にそれぞれ記憶されている個人情報の中に同じ名前が存在する場合に通信をリクエストすることによって、直接には知らない者どうしがコミュニケーションを行いやすくするようにしたものであり、個人的なＳＮＳ情報の表示を制御するものではない。よって、特許文献１〜３に記載の技術の何れを用いても、個人のプライバシーに係るＳＮＳ情報が同乗者に公開されてしまうという問題は解決することができない。
【０００９】
本発明は、このような問題を解決するために成されたものであり、個人のプライバシーを守りつつ、ＳＮＳ情報を共用のディスプレイに表示することができるようにすることを目的とする。
【課題を解決するための手段】
【００１０】
上記した課題を解決するために、本発明では、複数の携帯端末に提供される複数の情報群であって、１つの携帯端末に提供される情報群が１つ以上の投稿情報から成る複数の情報群を取得し、当該取得した複数の情報群の中から、当該複数の情報群に共通の事項により特定される投稿情報を共通情報として抽出して共用のディスプレイに表示させるようにしている。
【発明の効果】
【００１１】
上記のように構成した本発明によれば、複数のユーザが使用する複数の携帯端末に提供される情報を取得して共用のディスプレイに表示させる際に、特定のユーザだけが持つ個人的な投稿情報は共用のディスプレイには表示されず、各携帯端末に対して提供される情報群のうち共通の事項により特定される投稿情報のみが抽出されて表示される。これにより、個人のプライバシーを守りつつ、秘匿の必要性が低い投稿情報を共用のディスプレイに表示し、複数のユーザで表示内容を共有することができる。
【図面の簡単な説明】
【００１２】
【図１】第１および第２の実施形態による情報表示制御装置を適用した車載システムの全体構成例を示す図である。
【図２】第１の実施形態による情報表示制御装置の機能構成例を示すブロック図である。
【図３】第１の実施形態において情報取得部により取得される複数の携帯端末に関する情報群の一例を示す図である。
【図４】第１の実施形態において表示制御部により共用ディスプレイに表示される画面の一例を示す図である。
【図５】第１の実施形態による情報表示制御装置の動作例を示すフローチャートである。
【図６】第２の実施形態による情報表示制御装置の機能構成例を示すブロック図である。
【図７】第２の実施形態において表示制御部により共用ディスプレイに表示される画面の一例を示す図である。
【図８】第２の実施形態による情報表示制御装置の動作例を示すフローチャートである。
【図９】第３の実施形態による情報表示制御装置を適用した車載システムの全体構成例を示す図である。
【図１０】第３の実施形態による情報表示制御装置の機能構成例を示すブロック図である。
【図１１】第３の実施形態において表示制御部により共用ディスプレイに表示される画面の一例を示す図である。
【図１２】第３の実施形態による情報表示制御装置の動作例を示すフローチャートである。
【発明を実施するための形態】
【００１３】
（第１の実施形態）
以下、本発明の第１の実施形態を図面に基づいて説明する。図１は、第１の実施形態による情報表示制御装置を適用した車載システムの全体構成例を示す図である。図１に示すように、第１の実施形態による車載システムは、第１の実施形態による情報表示制御装置を内蔵した車載機１００、当該車載機１００に接続される共用ディスプレイ１０１、複数の携帯端末２０１，２０２，２０３、および車載機１００とインターネット４００を介して接続されるＳＮＳサーバ３００を備えて構成されている。
【００１４】
共用ディスプレイ１０１は、例えば車両のセンターコンソールに設置されるタイプのフロントモニタであってもよいし、後部座席の前方（フロントシートの裏側）または天井に設置されるタイプのリアモニタであってもよい。複数の携帯端末２０１〜２０３は、例えばスマートフォンであり、ＳＮＳサーバ３００からＳＮＳ情報を取得して表示する機能を有するアプリケーションであるＳＮＳアプリがインストールされている。また、携帯端末２０１〜２０３は、ブルートゥース等の無線やＵＳＢ（Universal Serial Bus）等の有線によって車載機１００と接続可能に構成されている。
【００１５】
なお、携帯端末２０１〜２０３は、ＳＮＳアプリをインストール可能であり、かつ、車載機１００と無線または有線で接続可能なものであればよく、スマートフォンには限定されない。例えば、タブレットやノート型パソコンであってもよい。図１には示していないが、携帯端末２０１〜２０３はインターネット４００を介してＳＮＳサーバ３００と接続可能に構成されている。
【００１６】
ＳＮＳサーバ３００は、インターネット４００を介して携帯端末２０１〜２０３から送られてくる投稿情報を記憶して管理し、携帯端末２０１〜２０３から要求に応じて当該投稿情報をインターネット４００を介して携帯端末２０１〜２０３に提供する。ここでいう投稿情報とは、コメントやブログなどの情報をいう。個々のコメントやブログには、それを投稿したユーザを識別するためのアカウントＩＤが紐付けられており、どの投稿情報がどのユーザに関するものかを特定することが可能である。
【００１７】
また、このアカウントＩＤを利用して、特定のユーザをグルーピングすることが可能である。例えば、あるユーザＡがＳＮＳサーバ３００から携帯端末２０１に投稿情報を取得して表示する際に、ユーザＡのアカウントＩＤに関連付けてグルーピングされているユーザ（例えば、ユーザＡの友人・知人）の投稿情報だけを抽出して表示するように成されている。同様に、ユーザＢの携帯端末２０２には、ユーザＢのアカウントＩＤに関連付けてグルーピングされている１つ以上の投稿情報が表示され、ユーザＣの携帯端末２０３には、ユーザＣのアカウントＩＤに関連付けてグルーピングされている１つ以上の投稿情報が表示されるようになされている。
【００１８】
図２は、車載機１００が内蔵する第１の実施形態による情報表示制御装置の機能構成例を示すブロック図である。第１の実施形態による情報表示制御装置は、ＳＮＳサーバ３００から複数の携帯端末２０１〜２０３に提供される投稿情報を取得して共用ディスプレイ１０１に表示させるものであり、その機能構成として、接続検出部１１、情報取得部１２、共通情報抽出部１３および表示制御部１４を備えている。情報取得部１２は、さらに具体的な機能構成として、アカウント情報取得部１２Ａおよび情報群取得部１２Ｂを備えている。
【００１９】
上記各機能ブロック１１〜１４は、ハードウェア、ＤＳＰ（Digital Signal Processor）、ソフトウェアの何れによっても構成することが可能である。例えばソフトウェアによって構成する場合、上記各機能ブロック１１〜１４は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたＳＮＳ情報表示制御用プログラムが動作することによって実現される。
【００２０】
接続検出部１１は、車載機１００と携帯端末２０１〜２０３との接続を検出する。例えば、車載機１００と携帯端末２０１〜２０３との間がＵＳＢケーブルで接続される場合、接続検出部１１は、例えばＤ＋と称するデータ線に接続されたプルアップ抵抗の作用によりＤ＋線がＨｉｇｈの状態（常に電源が供給されている状態）にプルアップされたことを検知することによって、携帯端末２０１〜２０３が車載機１００に接続されたことを検出する。また、車載機１００と携帯端末２０１〜２０３との間がブルートゥースで接続される場合、接続検出部１１は、ペアリングが行われたことを検知することによって、携帯端末２０１〜２０３が車載機１００に接続されたことを検出する。
【００２１】
情報取得部１２は、接続検出部１１により接続が検出された複数の携帯端末２０１〜２０３に提供される複数の情報群を取得する。ここで、１つの携帯端末に提供される情報群は、１つ以上の投稿情報を含む情報である。図３は、情報取得部１２により取得される複数の携帯端末２０１〜２０３に関する情報群３１〜３３の一例を示す図である。
【００２２】
図３に示すように、ユーザＡの携帯端末２０１に提供される情報群３１は、ユーザＡのアカウントＩＤに関連付けてグルーピングされている１以上の投稿情報３１ａ，３１ｂ，３１ｃ，・・・を含む。上述したように、これら１以上の投稿情報３１ａ，３１ｂ，３１ｃ，・・・にもそれぞれアカウントＩＤが関連付けられており、どの投稿情報がどのユーザから投稿されたものであるかを識別可能となっている。
【００２３】
また、ユーザＢの携帯端末２０２に提供される情報群３２は、ユーザＢのアカウントＩＤに関連付けてグルーピングされている１以上の投稿情報３２ａ，３２ｂ，３２ｃ，・・・を含む。同様に、ユーザＣの携帯端末２０３に提供される情報群３３は、ユーザＣのアカウントＩＤに関連付けてグルーピングされている１以上の投稿情報３３ａ，３３ｂ，３３ｃ，・・・を含む。
【００２４】
このような情報取得部１２による情報の取得は、具体的にはアカウント情報取得部１２Ａおよび情報群取得部１２Ｂによって行う。アカウント情報取得部１２Ａは、車載機１００に接続されている複数の携帯端末２０１〜２０３から、ＳＮＳサーバ３００にアクセスして情報群３１〜３３を取得するのに必要なアカウントＩＤを取得する。情報群取得部１２Ｂは、アカウント情報取得部１２Ａにより取得された各携帯端末２０１〜２０３のアカウントＩＤを用いてＳＮＳサーバ３００にアクセスし、各携帯端末２０１〜２０３のアカウントＩＤに対応する複数の情報群３１〜３３をそれぞれ取得する。
【００２５】
共通情報抽出部１３は、情報取得部１２により取得された複数の情報群３１〜３３の中から、当該複数の情報群３１〜３３に共通の事項により特定される投稿情報を共通情報として抽出する。例えば、共通情報抽出部１３は、携帯端末２０１〜２０３に提供される複数の情報群３１〜３３の中から、当該複数の情報群３１〜３３間で共通のアカウントＩＤを持つ投稿情報を抽出する。
【００２６】
例えば、図３の例で、ユーザＡの携帯端末２０１に提供される情報群３１の中の２番目の投稿情報３１ｂと、ユーザＢの携帯端末２０２に提供される情報群３２の中の３番目の投稿情報３２ｃと、ユーザＣの携帯端末２０３に提供される情報群３３の中の１番目の投稿情報３３ａとが同じアカウントＩＤ、つまり共通の友人・知人に関する投稿情報であったとすると、共通情報抽出部１３は、この共通の投稿情報３１ｂ，３２ｃ，３３ａを抽出する。ここで抽出する投稿情報３１ｂ，３２ｃ，３３ａは、アカウントＩＤが同じであればよく、全く同じ内容の投稿情報であるとは限らない。
【００２７】
表示制御部１４は、共通情報抽出部１３により共通情報として抽出された投稿情報３１ｂ，３２ｃ，３３ａを共用ディスプレイ１０１に表示させる。図４は、共用ディスプレイ１０１に対する投稿情報の表示例を示す図である。投稿情報３１ｂ，３２ｃ，３３ａが全て同じものである場合、表示制御部１４は、図４（ａ）に示すように、何れか１つのみ（図４（ａ）では投稿情報３１ｂ）を共用ディスプレイ１０１に表示させる。
【００２８】
一方、アカウントＩＤは同じであるが投稿情報３１ｂ，３２ｃ，３３ａの内容が異なるものである場合、表示制御部１４は、図４（ｂ）に示すように、これらの投稿情報３１ｂ，３２ｃ，３３ａを全て共用ディスプレイ１０１に表示させる。この場合の表示態様は任意である。例えば、投稿情報３１ｂ，３２ｃ，３３ａを投稿日時が早い順にタイムラインとして表示することが可能である。
【００２９】
図５は、上記のように構成した第１の実施形態による情報表示制御装置の動作例を示すフローチャートである。なお、図５に示すフローチャートは、ＳＮＳ情報表示制御用プログラムを起動させたときに開始する。まず、接続検出部１１は、車載機１００と複数の携帯端末２０１〜２０３との接続を検出する（ステップＳ１）。
【００３０】
次に、アカウント情報取得部１２Ａは、接続検出部１１により接続が検出された複数の携帯端末２０１〜２０３から、各携帯端末２０１〜２０３がＳＮＳサーバ３００にアクセスする際に必要なアカウントＩＤを取得する（ステップＳ２）。そして、情報群取得部１２Ｂは、アカウント情報取得部１２Ａにより取得された各携帯端末２０１〜２０３のアカウントＩＤを用いてＳＮＳサーバ３００にログインし（ステップＳ３）、各携帯端末２０１〜２０３のアカウントＩＤに対応する複数の情報群３１〜３３をそれぞれ取得する（ステップＳ４）。
【００３１】
さらに、共通情報抽出部１３は、情報群取得部１２Ｂにより取得された複数の情報群３１〜３３の中から、当該複数の情報群３１〜３３間で共通のアカウントＩＤを持つ投稿情報を共通情報として抽出する（ステップＳ５）。最後に、表示制御部１４は、共通情報抽出部１３により共通情報として抽出された投稿情報を共用ディスプレイ１０１に表示させる（ステップＳ６）。
【００３２】
以上詳しく説明したように、第１の実施形態では、複数の携帯端末２０１〜２０３に提供される複数の情報群３１〜３３をＳＮＳサーバ３００から取得し、当該取得した複数の情報群３１〜３３の中から、当該複数の情報群３１〜３３に共通のアカウントＩＤにより特定される投稿情報を共通情報として抽出して共用ディスプレイ１０１に表示させるようにしている。
【００３３】
このように構成した本実施形態によれば、複数のユーザが使用する複数の携帯端末２０１〜２０３に提供される投稿情報を取得して共用ディスプレイ１０１に表示させる際に、特定のユーザだけが持つ個人的な投稿情報は共用ディスプレイ１０１には表示されず、各携帯端末２０１〜２０３に対して提供される情報群のうち共通のアカウントＩＤにより特定される投稿情報のみが抽出されて表示されるので、個人のプライバシーを守りつつ、秘匿の必要性が低い投稿情報を共用ディスプレイ１０１に表示し、複数のユーザで表示内容を共有することができる。
【００３４】
（第２の実施形態）
次に、本発明の第２の実施形態を図面に基づいて説明する。情報表示制御装置を適用した車載システムの全体構成は、図１と同じである。図６は、車載機１００が内蔵する第２の実施形態による情報表示制御装置の機能構成例を示すブロック図である。なお、この図６において、図２に示した符号と同一の符号を付したものは同一の機能を有するものであるので、ここでは重複する説明を省略する。
【００３５】
図６に示すように、第２の実施形態による情報表示制御装置は、その機能構成として、アプリ判定部１５を更に備えている。また、表示制御部１４に代えて表示制御部１４’を備えている。
【００３６】
アプリ判定部１５は、接続検出部１１により接続が検出された携帯端末２０１〜２０３の中に、ＳＮＳアプリがインストールされていないものがあるか否かを判定する。例えば、ＳＮＳアプリの名称を車載機１００にあらかじめ記憶しておく。そして、接続検出部１１により接続が検出されたときに、携帯端末２０１〜２０３からインストール済みのアプリ名を取得し、その中に車載機１００に記憶されているＳＮＳアプリの名称と一致するものがあるか否かによって、携帯端末２０１〜２０３におけるＳＮＳアプリの有無を判定することが可能である。
【００３７】
あるいは、携帯端末２０１〜２０３からインストール済みアプリのジャンル情報を取得し、その中に「ソーシャルネットワーク」というジャンル情報があるか否かによって、携帯端末２０１〜２０３におけるＳＮＳアプリの有無を判定することも可能である。
【００３８】
表示制御部１４’は、携帯端末２０１〜２０３の中にＳＮＳアプリがインストールされていないものがあるとアプリ判定部１５により判定された場合、ＳＮＳアプリがインストールされている携帯端末間で共通情報として抽出された投稿情報があったとしても、その投稿情報の表示を行わないように制御する。または、表示制御部１４’は、ＳＮＳアプリがインストールされていない携帯端末があるとアプリ判定部１５により判定された場合で、かつ、共通情報の表示を行う旨の指示が携帯端末のユーザから行われていない場合に、共通情報の表示を行わないように制御するようにしてもよい。
【００３９】
図７は、第２の実施形態において表示制御部１４’により共用ディスプレイ１０１に表示される画面の一例を示す図である。図７（ａ）の例では、搭乗者Ａの携帯端末２０１および搭乗者Ｂの携帯端末２０２にはＳＮＳアプリがインストールされており、搭乗者Ｃの携帯端末２０３にはＳＮＳアプリがインストールされていない場合を示している。
【００４０】
この場合、表示制御部１４’は、図７（ｂ）に示すように、２つの携帯端末２０１，２０２に提供される情報群３１，３２の中で共通のアカウントＩＤを持つ共通情報として抽出された投稿情報を共用ディスプレイ１０１に表示するか否かを確認するメッセージ６１と、ユーザが肯定または否定の応答操作を行うためのボタン６２，６３とを表示させる。ここで、ユーザが肯定ボタン６２を操作すると、表示制御部１４’は、図７（ｃ）に示すように、２つの携帯端末２０１，２０２に関して共通情報として抽出された投稿情報３１ｂ，３２ｃを共用ディスプレイ１０１に表示させる。
【００４１】
図８は、上記のように構成した第２の実施形態による情報表示制御装置の動作例を示すフローチャートである。なお、図８に示すフローチャートは、ＳＮＳ情報表示制御用プログラムを起動させたときに開始する。まず、接続検出部１１は、車載機１００と複数の携帯端末２０１〜２０３との接続を検出する（ステップＳ１１）。
【００４２】
次に、アプリ判定部１５は、接続検出部１１により接続が検出された複数の携帯端末２０１〜２０３のそれぞれについて、ＳＮＳアプリがインストールされているか否かを判定する（ステップＳ１２）。そして、アカウント情報取得部１２Ａは、アプリ判定部１５によりＳＮＳアプリがインストールされていると判定された携帯端末（図７の例では２つの携帯端末２０１，２０２）から、各携帯端末２０１，２０２がＳＮＳサーバ３００にアクセスする際に必要なアカウントＩＤを取得する（ステップＳ１３）。
【００４３】
次に、情報群取得部１２Ｂは、アカウント情報取得部１２Ａにより取得された各携帯端末２０１，２０２のアカウントＩＤを用いてＳＮＳサーバ３００にログインし（ステップＳ１４）、各携帯端末２０１，２０２のアカウントＩＤに対応する複数の情報群３１，３２をそれぞれ取得する（ステップＳ１５）。
【００４４】
さらに、共通情報抽出部１３は、情報群取得部１２Ｂにより取得された複数の情報群３１，３２の中から、当該複数の情報群３１，３２間で共通のアカウントＩＤを持つ投稿情報を共通情報として抽出する（ステップＳ１６）。ここで、アプリ判定部１５は、ステップＳ１２で判定した結果に基づいて、接続検出部１１により接続が検出された携帯端末２０１〜２０３の中にＳＮＳアプリがインストールされていないものがあったか否かを判定する（ステップＳ１７）。
【００４５】
ＳＮＳアプリがインストールされていない携帯端末がない場合、処理はステップＳ２０に遷移する。一方、携帯端末２０１〜２０３の中にＳＮＳアプリがインストールされていない携帯端末（図７の例では携帯端末２０３）がある場合、表示制御部１４’は、図７（ｂ）のようなメッセージ画面を共用ディスプレイ１０１に表示させる（ステップＳ１８）。
【００４６】
次いで、表示制御部１４’は、メッセージ画面に表示された肯定ボタン６２が操作されたか否かを判定する（ステップＳ１９）。ここで、肯定ボタン６２が操作された場合、表示制御部１４’は、ステップＳ１６で共通情報抽出部１３により共通情報として抽出された投稿情報を共用ディスプレイ１０１に表示させる（ステップＳ２０）。一方、否定ボタン６３が操作された場合は、ステップＳ２０の表示処理は行わず、図８に示すフローチャートの処理を終了する。
【００４７】
以上詳しく説明したように、第２の実施形態によれば、ＳＮＳアプリがインストールされていない携帯端末２０３が検出された場合には、ＳＮＳアプリがインストールされている携帯端末２０１，２０２間の共通情報として抽出された投稿情報があったとしても、ユーザから表示の指示がない限り、その投稿情報の表示は行われない。つまり、この場合に共通情報抽出部１３により抽出される共通情報は搭乗者全員の共通情報ではないので、個人のプライバシー保護を優先して表示しないようにすることができる。
【００４８】
（第３の実施形態）
次に、本発明の第３の実施形態を図面に基づいて説明する。図９は、第３の実施形態による情報表示制御装置を適用した車載システムの全体構成例を示す図である。なお、この図９において、図１に示した符号と同一の符号を付したものは同一の機能を有するものであるので、ここでは重複する説明を省略する。図１に示すように、車載機１００には、車両の各座席に設置された重量センサ１０２が接続されている。
【００４９】
図１０は、車載機１００が内蔵する第３の実施形態による情報表示制御装置の機能構成例を示すブロック図である。なお、この図１０において、図２に示した符号と同一の符号を付したものは同一の機能を有するものであるので、ここでは重複する説明を省略する。図１０に示すように、第３の実施形態による情報表示制御装置は、その機能構成として、搭乗者数検出部１６および一致判定部１７を更に備えている。また、表示制御部１４に代えて表示制御部１４”を備えている。
【００５０】
搭乗者数検出部１６は、各座席の重量センサ１０２により検出される重量（加重の有無）に基づいて、車両への搭乗者の人数を検出する。一致判定部１７は、接続検出部１１により接続が検出された携帯端末２０１〜２０３の数と、搭乗者数検出部１６により検出された搭乗者の人数とが一致するか否かを判定する。
【００５１】
表示制御部１４”は、一致判定部１７により数が一致しないと判定された場合、ＳＮＳアプリがインストールされている携帯端末間で共通情報として抽出された投稿情報があったとしても、その投稿情報の表示を行わないように制御する。または、表示制御部１４”は、一致判定部１７により数が一致しないと判定された場合で、かつ、共通情報の表示を行う旨の指示が携帯端末のユーザから行われていない場合に、共通情報の表示を行わないように制御するようにしてもよい。
【００５２】
図１１は、第３の実施形態において表示制御部１４”により共用ディスプレイ１０１に表示される画面の一例を示す図である。図１１（ａ）の例では、搭乗者Ａおよび搭乗者Ｂは携帯端末２０１，２０２を持っていて車載機１００とペアリング済みであるのに対し、搭乗者Ｃは携帯端末を持っていない（あるいは、持っていてもペアリングをしていない）場合を示している。
【００５３】
この場合、表示制御部１４”は、図１１（ｂ）に示すように、２つの携帯端末２０１，２０２に提供される情報群３１，３２の中で共通のアカウントＩＤを持つ共通情報として抽出された投稿情報を共用ディスプレイ１０１に表示するか否かを確認するメッセージ６１と、ユーザが肯定または否定の応答操作を行うためのボタン６２，６３とを表示させる。ここで、ユーザが肯定ボタン６２を操作すると、表示制御部１４”は、図１１（ｃ）に示すように、２つの携帯端末２０１，２０２に関して共通情報として抽出された投稿情報３１ｂ，３２ｃを共用ディスプレイ１０１に表示させる。
【００５４】
図１２は、上記のように構成した第３の実施形態による情報表示制御装置の動作例を示すフローチャートである。なお、図１２に示すフローチャートは、ＳＮＳ情報表示制御用プログラムを起動させたときに開始する。なお、ここでは図１１（ａ）のように、搭乗者Ａおよび搭乗者Ｂは携帯端末２０１，２０２を車載機１００とペアリング済みであるのに対し、搭乗者Ｃは携帯端末を持っていないものとする。
【００５５】
まず、接続検出部１１は、車載機１００と複数の携帯端末２０１，２０２との接続を検出する（ステップＳ２１）。次に、搭乗者数検出部１６は、各座席の重量センサ１０２により検出される重量（加重の有無）に基づいて、車両への搭乗者の人数を検出する（ステップＳ２２）。
【００５６】
また、アカウント情報取得部１２Ａは、接続検出部１１により接続が検出された携帯端末２０１，２０２から、各携帯端末２０１，２０２がＳＮＳサーバ３００にアクセスする際に必要なアカウントＩＤを取得する（ステップＳ２３）。そして、情報群取得部１２Ｂは、アカウント情報取得部１２Ａにより取得された各携帯端末２０１，２０２のアカウントＩＤを用いてＳＮＳサーバ３００にログインし（ステップＳ２４）、各携帯端末２０１，２０２のアカウントＩＤに対応する複数の情報群３１，３２をそれぞれ取得する（ステップＳ２５）。
【００５７】
さらに、共通情報抽出部１３は、情報群取得部１２Ｂにより取得された複数の情報群３１，３２の中から、当該複数の情報群３１，３２間で共通のアカウントＩＤを持つ投稿情報を共通情報として抽出する（ステップＳ２６）。ここで、一致判定部１７は、ステップＳ２１，２２における検出結果に基づいて、接続検出部１１により接続が検出された携帯端末２０１，２０２の数と、搭乗者数検出部１６により検出された搭乗者の人数とが一致するか否かを判定する（ステップＳ２７）。
【００５８】
携帯端末２０１，２０２の数と搭乗者の人数とが一致する場合、処理はステップＳ３０に遷移する。一方、携帯端末２０１，２０２の数と搭乗者の人数とが一致しない場合、表示制御部１４”は、図１１（ｂ）のようなメッセージ画面を共用ディスプレイ１０１に表示させる（ステップＳ２８）。
【００５９】
次いで、表示制御部１４”は、メッセージ画面に表示された肯定ボタン６２が操作されたか否かを判定する（ステップＳ２９）。ここで、肯定ボタン６２が操作された場合、表示制御部１４”は、ステップＳ２６で共通情報抽出部１３により共通情報として抽出された投稿情報を共用ディスプレイ１０１に表示させる（ステップＳ３０）。一方、否定ボタン６３が操作された場合は、ステップＳ３０の表示処理は行わず、図１２に示すフローチャートの処理を終了する。
【００６０】
以上詳しく説明したように、第３の実施形態によれば、車載機１００に接続された携帯端末２０１，２０２の数と搭乗者の人数とが一致しない場合には、車載機１００に接続された携帯端末２０１，２０２間で共通情報として抽出された投稿情報があったとしても、ユーザから表示の指示がない限り、その投稿情報の表示は行われない。つまり、この場合に共通情報抽出部１３により抽出される共通情報は搭乗者全員の共通情報ではないので、個人のプライバシー保護を優先して表示しないようにすることができる。
【００６１】
なお、上記第１〜第３の実施形態では、複数の携帯端末２０１〜２０３に提供される複数の情報群３１〜３３を車載機１００がＳＮＳサーバ３００から取得する例について説明したが、本発明はこれに限定されない。例えば、複数の携帯端末２０１〜２０３に提供される複数の情報群３１〜３３を車載機１００がそれぞれの携帯端末２０１〜２０３から取得するようにしてもよい。
【００６２】
また、上記第１〜第３の実施形態では、複数の情報群３１〜３３に共通の事項としてアカウントＩＤを用いる例について説明したが、本発明はこれに限定されない。例えば、アカウントＩＤと紐付けて登録されているユーザ名を共通の事項として用いるようにしてもよい。
【００６３】
あるいは、コメントやブログ等の投稿情報の内容そのものを共通の事項として用いるようにしてもよい。この場合、アカウントＩＤが同じ投稿情報であっても、内容が異なれば共通情報として抽出されない。このようにすれば、複数の情報群３１〜３３の中で、内容が同じ投稿情報のみを共通情報として抽出して共用ディスプレイ１０１に表示させることができる。なお、内容が同じ投稿情報を抽出するために用いる共通の事項としてアカウントＩＤおよび投稿日時を用い、この両方が共通する投稿情報を抽出するようにしてもよい。
【００６４】
また、上記第１〜第３の実施形態では、情報表示制御装置が車両に搭載された車載機１００に内蔵される例について説明したが、本発明はこれに限定されない。車内以外の場所でも、複数の携帯端末２０１〜２０３に提供される投稿情報を共用ディスプレイ１０１に表示させるシステムであれば、いずれにも本発明を適用することが可能である。
【００６５】
また、上記第１〜第３の実施形態において、共通情報として抽出された複数の投稿情報を共用ディスプレイ１０１に表示させる際に、各投稿情報がどの種類のＳＮＳアプリに関するものであるかをアカウントＩＤ等に基づき判別して、ＳＮＳアプリの種類毎に領域を分けて表示させるようにしてもよい。
【００６６】
その他、上記第１〜第３の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００６７】
１１  接続検出部
１２  情報取得部
１２Ａ  アカウント情報取得部
１２Ｂ  情報群取得部
１３  共通情報抽出部
１４，１４’，１４”  表示制御部
１５  アプリ判定部
１６  搭乗者数検出部
１７  一致判定部
１００  車載機
１０１  共用ディスプレイ
２０１，２０２，２０３  携帯端末
【図１】
2015152884.tif 000003
【図２】
2015152884.tif 000004
【図３】
2015152884.tif 000005
【図４】
2015152884.tif 000006
【図５】
2015152884.tif 000007
【図６】
2015152884.tif 000008
【図７】
2015152884.tif 000009
【図８】
2015152884.tif 000010
【図９】
2015152884.tif 000011
【図１０】
2015152884.tif 000012
【図１１】
2015152884.tif 000013
【図１２】
2015152884.tif 000014